(57)【要約】【課題】視聴環境が異なる場所に設置されているテレビに対するそれぞれの視聴環境に合わせた設定変更を同時に行わせる。【解決手段】マスターとなるテレビの設定に関わる設定データの転送要求を行う操作に応じてマスターとなるテレビから転送される視聴環境に応じて設定された異なる設定データのいずれかをメモリバンク１５ｄのそれぞれのメモリ領域に保存し、いずれかの設定データを他のテレビへ送信する操作に応じていずれかのメモリ領域に保存された設定データを他のテレビへ送信することにより、他のテレビ側での設定変更制御が行われるようにした。【選択図】図４
2007174305.tif 000002
【特許請求の範囲】
【請求項１】
リモコン装置により、第１機器の設定に関わる設定データを受け取り、その設定データを第２機器に送信してその第２機器の設定を前記第１機器の設定に合わせる設定データ変更システムであって、
前記リモコン装置は、
前記第１機器の設定に関わる設定データの転送要求を行う際に操作される転送要求操作手段と、
この転送要求操作手段の操作に応じて前記設定データの転送を要求する設定データ要求手段と、
データを保存する複数のメモリ領域を有する保存手段と、
前記要求に応じて前記第１機器から転送される前記設定データを前記保存手段のいずれかのメモリ領域に保存させる保存管理制御手段と、
前記設定データを前記第２機器へ送信する際に操作される送信操作手段と、
この送信操作手段の操作に応じて前記保存された設定データを前記第２機器へ送信する設定データ送信手段とを有し、
前記第１機器は、前記設定データ要求手段からの要求に応じて設定データの転送制御を行う第１制御手段を有し、
前記第２機器は、前記設定データ送信手段からの前記設定データに基づいて設定変更制御を行う第２制御手段を有し、
前記保存管理制御手段は、前記第１機器からの視聴環境に応じて設定された異なる設定データを前記保存手段のそれぞれのメモリ領域に保存し、
前記設定データ送信手段は、いずれかの前記メモリ領域に保存された設定データを送信する
ことを特徴とする設定データ変更システム。
【請求項２】
前記保存管理制御手段は、前記第１機器からの設定データのデータ量が前記保存手段のいずれかのメモリ領域より大きい場合、その設定データを複数のメモリ領域に保存させることを特徴とする請求項１に記載の設定データ変更システム。
【請求項３】
前記リモコン装置は、
前記保存手段の複数のメモリ領域に対応した表示素子と、
前記メモリ領域のいずれかを選択する際に操作される選択手段とを有し、
前記保存管理制御手段は、前記選択手段による選択操作に応じて前記設定データが保存されているメモリ領域に対応した前記表示素子による表示が行われるように制御する
ことを特徴とする請求項１又は２に記載の設定データ変更システム。
【請求項４】
前記設定データ要求手段は、前記第１機器に対し転送要求コマンドを出力し、
前記設定データ送信手段は、前記第２機器へ前記設定データに応じた書き換えを要求する書換要求コマンドを出力する
ことを特徴とする請求項１〜３のいずれかに記載の設定データ変更システム。
【請求項５】
前記転送要求操作手段の操作に応じて前記転送要求を知らせる転送要求告知手段と、
前記送信操作手段の操作に応じて前記設定データの送信を知らせる送信告知手段とを有する
ことを特徴とする請求項１〜４のいずれかに記載の設定データ変更システム。
【請求項６】
前記第１機器の設定に関わる設定データを受け取るためのケーブルの一端が装着されるコネクタを有することを特徴とする請求項１〜５のいずれかに記載の設定データ変更システム。
【請求項７】
第１機器の設定に関わる設定データを受け取り、その設定データを第２機器に送信してその第２機器の設定を前記第１機器の設定に合わせるリモコン装置であって、
前記第１機器の設定に関わる設定データの転送要求を行う際に操作される転送要求操作手段と、
この転送要求操作手段の操作に応じて前記設定データの転送を要求する設定データ要求手段と、
データを保存する複数のメモリ領域を有する保存手段と、
前記要求に応じて前記第１機器から転送される前記設定データを前記保存手段のいずれかのメモリ領域に保存させる保存管理制御手段と、
前記設定データを前記第２機器へ送信する際に操作される送信操作手段と、
この送信操作手段の操作に応じて前記保存された設定データを前記第２機器へ送信する設定データ送信手段とを有し、
前記保存管理制御手段は、前記第１機器からの視聴環境に応じて設定された異なる設定データを前記保存手段のそれぞれのメモリ領域に保存し、
前記設定データ送信手段は、いずれかの前記メモリ領域に保存された設定データを送信する
ことを特徴とするリモコン装置。
【請求項８】
前記保存管理制御手段は、前記第１機器からの設定データのデータ量が前記保存手段のいずれかのメモリ領域より大きい場合、その設定データを複数のメモリ領域に保存させることを特徴とする請求項７に記載のリモコン装置。
【請求項９】
前記保存手段の複数のメモリ領域に対応した表示素子と、
前記メモリ領域のいずれかを選択する際に操作される選択手段とを有し、
前記保存管理制御手段は、前記選択手段による選択操作に応じて前記設定データが保存されているメモリ領域に対応した前記表示素子による表示が行われるように制御する
ことを特徴とする請求項７又は８に記載のリモコン装置。
【請求項１０】
前記設定データ要求手段は、前記第１機器に対し転送要求コマンドを出力し、
前記設定データ送信手段は、前記第２機器へ前記設定データに応じた書き換えを要求する書換要求コマンドを出力する
ことを特徴とする請求項７〜９のいずれかに記載のリモコン装置。
【請求項１１】
前記転送要求操作手段の操作に応じて前記転送要求を知らせる転送要求告知手段と、
前記送信操作手段の操作に応じて前記設定データの送信を知らせる送信告知手段とを有する
ことを特徴とする請求項７〜１０のいずれかに記載のリモコン装置。
【請求項１２】
前記第１機器の設定に関わる設定データを受け取るためのケーブルの一端が装着されるコネクタを有することを特徴とする請求項７〜１１のいずれかに記載のリモコン装置。
【請求項１３】
第１機器の設定に関わる設定データを受け取り、その設定データを第２機器に送信してその第２機器の設定を前記第１機器の設定に合わせる設定データ変更方法であって、
前記第１機器の設定に関わる設定データの転送要求を行う操作に応じて前記設定データの転送を要求するステップと、
前記要求に応じて前記第１機器から転送される視聴環境に応じて設定された異なる設定データを複数のメモリ領域を有する保存手段のそれぞれのメモリ領域に保存させるステップと、
前記設定データを前記第２機器へ送信する操作に応じていずれかの前記メモリ領域に保存された設定データを前記第２機器へ送信するステップとを有する
ことを特徴とする設定データ変更方法。
【請求項１４】
前記第１機器からの設定データのデータ量が前記保存手段のいずれかのメモリ領域より大きい場合、その設定データを複数のメモリ領域に保存させるステップを有することを特徴とする請求項１３に記載の設定データ変更方法。
【請求項１５】
前記メモリ領域のいずれかを選択する選択操作に応じて前記保存手段の複数のメモリ領域に対応した表示素子による表示が行われるように制御するステップを有することを特徴とする請求項１３又は１４に記載の設定データ変更方法。
【請求項１６】
前記設定データの転送を要求する際、前記第１機器に対し転送要求コマンドを出力するステップと、
前記設定データを送信する際、前記第２機器へ前記設定データに応じた書き換えを要求する書換要求コマンドを出力するステップとを有する
ことを特徴とする請求項１３〜１５のいずれかに記載の設定データ変更方法。
【請求項１７】
前記転送要求を行う操作に応じて前記転送要求を知らせるステップと、
前記送信を行う操作に応じて前記設定データの送信を知らせるステップとを有する
ことを特徴とする請求項１３〜１６に記載の設定データ変更方法。
【発明の詳細な説明】
【技術分野】
【０００１】
本発明は、たとえば任意のテレビからの異なる視聴環境に関わる複数の設定データを保存して他のテレビの設定データを変更する設定データ変更システム、リモコン装置及び設定データ保存方法に関する。
【背景技術】
【０００２】
テレビにおいては、たとえばチャンネル選局を行うために、予め、チャンネル番号毎のメモリに、受信したい放送周波数の記憶を行うチャンネルプリセット操作が必要である。この操作には、ユーザが、選局したい放送を各々のチャンネル番号のメモリへ記憶するマニュアル手法と、最小の周波数から順々に自動的にアップしながら、放送の有り／無しの検出を行い、有りならばチャンネル番号のメモリに周波数を自動的に記憶するオート手法とがある。
【０００３】
ところで、このようなチャンネルプリセットの場合、工場出荷時の調整や、サービスマンによる調整に手間が掛かっている。また、リモートコントロール装置（以下、適宜、リモコン装置という）等を用いてユーザにより行われる画質調整や音質調整等のプリセットの設定についても同様に手間が掛かっている。
【０００４】
このようなプリセットの調整や設定が容易に行われるようにしたものとして、特許文献１では、プリセット制御装置と、不揮発性記憶装置と、リモコン波形受信装置とを具備し、釦操作によって入力されたプリセットデータ、もしくは、リモコン装置と他機器（ＴＶやＶＴＲ等のＡＶ機器、あるいは他のリモコン装置）間のデータ双方向転送によって得たプリセットデータを、不揮発性記憶装置に保存し、そのプリセットデータをテレビやＶＴＲに送信するするようにしたリモコン装置を提案している。
【０００５】
また、特許文献２では、放送用受信機のコネクタに外部制御データ蓄積ユニットを接続し、オンスクリーンメッセージに従って、放送用受信機側の制御データを外部制御データ蓄積ユニット側に転送するか、あるいは外部制御データ蓄積ユニット側の制御データを放送用受信機側に転送するかを行うようにすることで、放送用受信機側の画質や音質等の設定を容易に行い得るデータを転送する方法を提案している。
【特許文献１】特開平０８−３３０６１号公報
【特許文献２】特表平１１−５０６２９７号公報
【発明の開示】
【発明が解決しようとする課題】
【０００６】
このように、上述した特許文献１では、データ双方向転送によって得たプリセットデータを、不揮発性記憶装置に保存し、そのプリセットデータをテレビやＶＴＲに送信することで、テレビやＶＴＲのプリセットの簡易化が図れるようになる。
【０００７】
ところで、プリセットデータとしては、たとえばチャンネルプリセット、ＶＴＲプリセット、画質プリセット、音声プリセット等の各設定データがあるが、特に画質に関わる設定データは設定元で設定された一義的な視聴環境での設定に依存している。
【０００８】
そのため、特に、ホテル等のように複数の部屋に設置されているそれぞれのテレビの設定変更をリモコン装置によって行うようにすると、それぞれの部屋毎に視聴環境が異なるために、たとえば明るい部屋でのテレビの設定変更、あるいは暗い部屋でのテレビの設定変更を単一のリモコン装置によって行うことができないという問題があった。
【０００９】
また、上述した特許文献２では、外部制御データ蓄積ユニットを、たとえばホテル等において任意のテレビに接続し、その外部制御データ蓄積ユニットに蓄積した制御データをそれぞれのテレビに転送することで、それぞれのテレビの画質や音質等の設定を容易に行うことができる。
【００１０】
ところが、特許文献２に示されたものでは、特許文献１と同様に、特に画質に関わる制御データは設定元で設定された一義的な視聴環境での設定に依存しており、それぞれの部屋毎に設置されているテレビの設定変更を単一のリモコン装置によって行うことができないという問題があった。
【００１１】
本発明は、このような状況に鑑みてなされたものであり、上記問題点を解決することができる設定データ変更システム、リモコン装置及び設定データ保存方法を提供することを目的とする。
【課題を解決するための手段】
【００１２】
本発明の設定データ変更システムは、リモコン装置により、第１機器の設定に関わる設定データを受け取り、その設定データを第２機器に送信してその第２機器の設定を前記第１機器の設定に合わせる設定データ変更システムであって、前記リモコン装置は、前記第１機器の設定に関わる設定データの転送要求を行う際に操作される転送要求操作手段と、この転送要求操作手段の操作に応じて前記設定データの転送を要求する設定データ要求手段と、データを保存する複数のメモリ領域を有する保存手段と、前記要求に応じて前記第１機器から転送される前記設定データを前記保存手段のいずれかのメモリ領域に保存させる保存管理制御手段と、前記設定データを前記第２機器へ送信する際に操作される送信操作手段と、この送信操作手段の操作に応じて前記保存された設定データを前記第２機器へ送信する設定データ送信手段とを有し、前記第１機器は、前記設定データ要求手段からの要求に応じて設定データの転送制御を行う第１制御手段を有し、前記第２機器は、前記設定データ送信手段からの前記設定データに基づいて設定変更制御を行う第２制御手段を有し、前記保存管理制御手段は、前記第１機器からの視聴環境に応じて設定された異なる設定データを前記保存手段のそれぞれのメモリ領域に保存し、前記設定データ送信手段は、いずれかの前記メモリ領域に保存された設定データを送信することを特徴とする。
また、前記保存管理制御手段は、前記第１機器からの設定データのデータ量が前記保存手段のいずれかのメモリ領域より大きい場合、その設定データを複数のメモリ領域に保存させるようにすることができる。
また、前記リモコン装置は、前記保存手段の複数のメモリ領域に対応した表示素子と、前記メモリ領域のいずれかを選択する際に操作される選択手段とを有し、前記保存管理制御手段は、前記選択手段による選択操作に応じて前記設定データが保存されているメモリ領域に対応した前記表示素子による表示が行われるように制御するようにすることができる。
また、前記設定データ要求手段は、前記第１機器に対し転送要求コマンドを出力し、前記設定データ送信手段は、前記第２機器へ前記設定データに応じた書き換えを要求する書換要求コマンドを出力するようにすることができる。
また、前記転送要求操作手段の操作に応じて前記転送要求を知らせる転送要求告知手段と、前記送信操作手段の操作に応じて前記設定データの送信を知らせる送信告知手段とを有するようにすることができる。
また、前記第１機器の設定に関わる設定データを受け取るためのケーブルの一端が装着されるコネクタを有するようにすることができる。
本発明のリモコン装置は、第１機器の設定に関わる設定データを受け取り、その設定データを第２機器に送信してその第２機器の設定を前記第１機器の設定に合わせるリモコン装置であって、前記第１機器の設定に関わる設定データの転送要求を行う際に操作される転送要求操作手段と、この転送要求操作手段の操作に応じて前記設定データの転送を要求する設定データ要求手段と、データを保存する複数のメモリ領域を有する保存手段と、前記要求に応じて前記第１機器から転送される前記設定データを前記保存手段のいずれかのメモリ領域に保存させる保存管理制御手段と、前記設定データを前記第２機器へ送信する際に操作される送信操作手段と、この送信操作手段の操作に応じて前記保存された設定データを前記第２機器へ送信する設定データ送信手段とを有し、前記保存管理制御手段は、前記第１機器からの視聴環境に応じて設定された異なる設定データを前記保存手段のそれぞれのメモリ領域に保存し、前記設定データ送信手段は、いずれかの前記メモリ領域に保存された設定データを送信することを特徴とする。
また、前記保存管理制御手段は、前記第１機器からの設定データのデータ量が前記保存手段のいずれかのメモリ領域より大きい場合、その設定データを複数のメモリ領域に保存させるようにすることができる。
また、前記保存手段の複数のメモリ領域に対応した表示素子と、前記メモリ領域のいずれかを選択する際に操作される選択手段とを有し、前記保存管理制御手段は、前記選択手段による選択操作に応じて前記設定データが保存されているメモリ領域に対応した前記表示素子による表示が行われるように制御するようにすることができる。
また、前記設定データ要求手段は、前記第１機器に対し転送要求コマンドを出力し、前記設定データ送信手段は、前記第２機器へ前記設定データに応じた書き換えを要求する書換要求コマンドを出力するようにすることができる。
また、前記転送要求操作手段の操作に応じて前記転送要求を知らせる転送要求告知手段と、前記送信操作手段の操作に応じて前記設定データの送信を知らせる送信告知手段とを有するようにすることができる。
また、前記第１機器の設定に関わる設定データを受け取るためのケーブルの一端が装着されるコネクタを有するようにすることができる。
本発明の設定データ変更方法は、第１機器の設定に関わる設定データを受け取り、その設定データを第２機器に送信してその第２機器の設定を前記第１機器の設定に合わせる設定データ変更方法であって、前記第１機器の設定に関わる設定データの転送要求を行う操作に応じて前記設定データの転送を要求するステップと、前記要求に応じて前記第１機器から転送される視聴環境に応じて設定された異なる設定データを複数のメモリ領域を有する保存手段のそれぞれのメモリ領域に保存させるステップと、前記設定データを前記第２機器へ送信する操作に応じていずれかの前記メモリ領域に保存された設定データを前記第２機器へ送信するステップとを有することを特徴とする。
また、前記第１機器からの設定データのデータ量が前記保存手段のいずれかのメモリ領域より大きい場合、その設定データを複数のメモリ領域に保存させるステップを有するようにすることができる。
また、前記メモリ領域のいずれかを選択する選択操作に応じて前記保存手段の複数のメモリ領域に対応した表示素子による表示が行われるように制御するステップを有するようにすることができる。
また、前記設定データの転送を要求する際、前記第１機器に対し転送要求コマンドを出力するステップと、前記設定データを送信する際、前記第２機器へ前記設定データに応じた書き換えを要求する書換要求コマンドを出力するステップとを有するようにすることができる。
また、前記転送要求を行う操作に応じて前記転送要求を知らせるステップと、前記送信を行う操作に応じて前記設定データの送信を知らせるステップとを有するようにすることができる。
本発明の設定データ変更システム、リモコン装置及び設定データ保存方法では、第１機器の設定に関わる設定データの転送要求を行う操作に応じて第１機器の設定データの転送を要求し、その要求に応じて第１機器の第１制御手段から転送される視聴環境に応じて設定された異なる設定データを複数のメモリ領域を有する保存手段のそれぞれのメモリ領域に保存し、設定データを第２機器へ送信する操作に応じていずれかのメモリ領域に保存された設定データを第２機器へ送信することにより、第２制御手段により送信された設定データに基づいて設定変更制御が行われる。
【発明の効果】
【００１３】
本発明の設定データ変更システム、リモコン装置及び設定データ保存方法によれば、第１機器の第１制御手段から転送される視聴環境に応じて設定された異なる設定データを複数のメモリ領域を有する保存手段のそれぞれのメモリ領域に保存し、設定データを第２機器へ送信する操作に応じていずれかのメモリ領域に保存された設定データを第２機器へ送信することにより、第２制御手段により送信された設定データに基づいて設定変更制御が行われるので、視聴環境が異なる場所に設置されている機器に対し、それぞれの視聴環境に合わせた設定変更を単一のリモコン装置によって同時に行うことができる。
【発明を実施するための最良の形態】
【００１４】
本実施形態では、第１機器の設定に関わる設定データの転送要求を行う操作に応じて第１機器の設定データの転送を要求し、その要求に応じて第１機器の第１制御手段から転送される視聴環境に応じて設定された異なる設定データを複数のメモリ領域を有する保存手段のそれぞれのメモリ領域に保存し、設定データを第２機器へ送信する操作に応じていずれかのメモリ領域に保存された設定データを第２機器へ送信することにより、第２制御手段により送信された設定データに基づいて設定変更制御が行われるようにし、視聴環境が異なる場所に設置されている機器に対し、それぞれの視聴環境に合わせた設定変更を単一のリモコン装置によって同時に行わせるようにした。
【実施例】
【００１５】
以下、本発明の実施例の詳細について説明する。図１は、本発明の設定データ変更システムの一実施例の概要を説明するための図である。
【００１６】
同図に示す設定データ変更システムは、リモコン装置であるデータコピーリモコン装置１０により、第１機器であるマスターとなるテレビ２０Ａからの画質や音質等の設定データを受け取り、その設定データを第２機器であるテレビ２０ａ・・・に送信し、それらのテレビ２０ａ側の設定値の設定変更を行わせ構成となっている。
【００１７】
なお、データコピーリモコン装置１０は、特に、明るい部屋の設定、暗い部屋の設定、通常の部屋の設定等のような視聴環境に応じた設定変更が同時に行われるように、それぞれの視聴環境に応じた設定データが複数保存されるようになっているが、その詳細については後述する。また、同図に示すテレビ２０Ａ，２０ａ・・・は、たとえばホテルの各部屋に設置されているものとする。
【００１８】
図２及び図３は、データコピーリモコン装置１０の一例を示す図である。これらの図に示すように、データコピーリモコン装置１０は、たとえばＬＥＡＲＮランプ１０ａ、ＤＯＮＥランプ１０ｂ、ＴＥＡＣＨランプ１０ｃ、ＭＥＭＯＲＹ・ＳＥＬＥＣＴランプ１０ｄ、ＬＥＡＲＮボタン１０ｅ、ＴＥＡＣＨボタン１０ｆ、ＲＯＯＭボタン１０ｇ、ＭＡＳＴＥＲボタン１０ｈ、ＤＩＡＧＮＯＳＴＩＣＳボタン１０ｉ、ＭＥＭＯＲＹ・ＳＥＬＥＣＴボタン１０ｊ、コネクタ１１を有している。
【００１９】
転送要求告知手段としてのＬＥＡＲＮランプ１０ａは、マスターとなるテレビ２０Ａにおいて設定された画質や音質等の設定データを受け取って内部に保存していることを点灯によって知らせるものである。ＤＯＮＥランプ１０ｂは、テレビ２０Ａ側から受け取った設定データの保存の終了、あるいは保存した設定データの他のテレビ２０ａへの送信完了を点灯によって知らせるものである。
【００２０】
送信告知手段としてのＴＥＡＣＨランプ１０ｃは、上記の設定データを他のテレビ２０ａへ送信中であることを点灯によって知らせるものである。表示素子としてのＭＥＭＯＲＹ・ＳＥＬＥＣＴランプ１０ｄは、選択された後述のメモリバンク１５ｄのメモリ領域を点灯によって知らせるものである。ちなみに、ここではメモリバンク１５ｄのメモリ領域が後述のようにたとえば（１）〜（３）まであり、ＭＥＭＯＲＹ・ＳＥＬＥＣＴランプ１０ｄはそれぞれのメモリ領域（１）〜（３）に対応させて１〜３まであることを示している。また、ＭＥＭＯＲＹ・ＳＥＬＥＣＴランプ１０ｄは、たとえば明るい部屋の設定に関わる設定データがメモリ領域（１）〜（２）に跨って保存されている場合、１〜２を点灯させるようになっているが、その詳細については後述する。
【００２１】
転送要求操作手段としてのＬＥＡＲＮボタン１０ｅは、マスターとなるテレビ２０Ａにおいて設定された画質や音質等の設定データを受け取って保存する際に操作されるものである。送信操作手段としてのＴＥＡＣＨボタン１０ｆは、上記の設定データを他のテレビ２０ａへ送信する際に操作されるものである。
【００２２】
ＲＯＯＭボタン１０ｇは、テレビ２０Ａ，２０ａ・・・をＭＡＳＴＥＲモードからＲＯＯＭモードに切り替える際に操作されるものである。ここで、ＭＡＳＴＥＲモードとは、ホテルオペレーターによるテレビ２０Ａ，２０ａ・・・の画質や音質等の調節を許可する際に操作されるものである。ＲＯＯＭモードとは、宿泊客によるテレビ２０Ａ，２０ａ・・・の画質や音質等の調節を許可する際に操作されるものである。
【００２３】
ＭＡＳＴＥＲボタン１０ｈは、テレビ２０Ａ，２０ａ・・・をＲＯＯＭモードからＭＡＳＴＥＲモードに切り替える際に操作されるものである。ＤＩＡＧＮＯＳＴＩＣＳボタン１０ｉは、上記の設定データを他のテレビ２０ａへ送信した後、それらのテレビ２０ａでの画質や音質等の調整具合を確認する際に操作されるものである。
【００２４】
選択手段としてのＭＥＭＯＲＹ・ＳＥＬＥＣＴボタン１０ｊは、後述のメモリバンク１５ｄのいずれかのメモリ領域（１）〜（３）に設定データを保存するか、あるいはいずれかのメモリ領域（１）〜（３）に保存されているデータを送信するかを選択する際に操作されるものである。なお、保存すべき設定データがたとえばメモリ領域（１）より大きい場合は後述の設定データ保存管理制御部１５ｂにより、その設定データがメモリ領域（１）〜（２）に跨って保存されるようになっている。
【００２５】
コネクタ１１は、マスターとなるテレビ２０Ａにおいて設定された画質や音質等の設定データを受け取る際に、テレビ２０Ａとの間で接続される図示しないケーブルの一端が装着されるものである。また、そのケーブルを介し、テレビ２０Ａとの間では、双方向通信が行われるようになっている。
【００２６】
なお、マスターとなるテレビ２０Ａ側からの設定データを受け取る際は、ケーブルを介さずに、無線通信によってデータのやり取りが行われるようにすることも可能である。また、データコピーリモコン装置１０の側面には、後述の信号送信部１２が設けられている。
【００２７】
図４は、データコピーリモコン装置１０の内部構成の一例を示すブロック図である。同図に示すように、データコピーリモコン装置１０は、Ｉ／Ｆ（インタフェース）１３、ランプ駆動回路１４、設定データ要求部１５ａ、設定データ保存管理制御部１５ｂ、設定データ送信制御部１５ｃ、メモリバンク１５ｄ、ＲＯＭ１６ａ、ＲＡＭ１６ｂ、ボタン選択受付部１７、ＣＰＵ１８を備えている。また、これらはバス１９を介して接続されている。
【００２８】
Ｉ／Ｆ（インタフェース）１３は、テレビ２０ａ・・・側へ送信する画質や音質等の設定データ及びテレビ２０Ａの機種ＩＤを信号送信部１２へ出力するものである。また、Ｉ／Ｆ（インタフェース）１３は、コネクタ１１を介して得られるテレビ２０Ａからの画質や音質等の設定データ及び機種ＩＤ等を受け取るものである。
【００２９】
ランプ駆動回路１４は、ＬＥＡＲＮボタン１０ｅ、ＴＥＡＣＨボタン１０ｆ、ＭＥＭＯＲＹ・ＳＥＬＥＣＴボタン１０ｊの操作に応じてＬＥＡＲＮランプ１０ａ、ＤＯＮＥランプ１０ｂ、ＴＥＡＣＨランプ１０ｃ、ＭＥＭＯＲＹ・ＳＥＬＥＣＴランプ１０ｄを点灯させるものである。
【００３０】
また、ランプ駆動回路１４は、特に、ＭＥＭＯＲＹ・ＳＥＬＥＣＴランプ１０ｄを点灯させる際、その設定データがたとえばメモリ領域（１）〜（２）に跨って保存されている場合でも、設定データ保存管理制御部１５ｂの制御により、ＭＥＭＯＲＹ・ＳＥＬＥＣＴランプは第一の設定データとして（１）のランプ一つのみ点灯させるようになっている。メモリがなくなった場合は、その番号のランプを点滅させる。なお、第二の設定データを選択する場合は（２）のランプ一つ、第三の設定データを選択する場合は（３）のランプ一つのみ点灯することになるが、例えば、メモリ領域（１）〜（２）に跨って保存されている場合に跨って保存されているにことが判るように、ＭＥＭＯＲＹ・ＳＥＬＥＣＴランプの（１）と（２）の両方を点灯させても良い。
【００３１】
設定データ要求手段としての設定データ要求部１５ａは、ＬＥＡＲＮボタン１０ｅの操作に応じて、マスターとなるテレビ２０Ａにおいて設定された画質や音質等の設定データの転送を要求するものである。設定データを要求する際には、その転送の要求を示す転送要求コマンドが出力されるようにしてもよい。
【００３２】
保存管理制御手段としての設定データ保存管理制御部１５ｂは、マスターとなるテレビ２０Ａ側からの設定データをメモリバンク１５ｄに保存するものである。その際、設定データ保存管理制御部１５ｂは、テレビ２０Ａ側からの設定データのサイズをチェックし、メモリバンク１５ｄに保存可能である場合に、その設定データを保存するようになっている。
【００３３】
また、設定データ保存管理制御部１５ｂは、後述の図５に示すように、メモリバンク１５ｄのメモリ領域（１）〜（３）に対し、明るい部屋の設定に関する設定データ（ａ）、暗い部屋の設定に関する設定データ（ｂ）、通常の部屋の設定に関する設定データ（ｃ）を保存させるようになっている。
【００３４】
その際、たとえば設定データ（ａ）がメモリ領域（１）より大きい領域（１１）を必要とする場合は、メモリ領域（２）に跨って保存させる。また、設定データ（ｂ）がメモリ領域（２）の残りの領域より大きい領域（２２）を必要とする場合は、メモリ領域（３）に跨って保存させる。また、設定データ（ｃ）が領域（３３）のようにメモリ領域（３）の残りの領域に収まる場合はその残りの領域に保存させる。
【００３５】
ここで、設定データ保存管理制御部１５ｂは、設定データ（ａ）〜（ｃ）のそれぞれの保存領域を、メモリバンク１５ｄのそれぞれのメモリ領域（１）〜（３）のアドレスを元に管理することができる。そして、ＭＥＭＯＲＹ・ＳＥＬＥＣＴボタン１０ｊの操作に応じて、設定データ（ａ）の保存領域を示す場合はＭＥＭＯＲＹ・ＳＥＬＥＣＴランプ１０ｄを点灯させるようにランプ駆動回路１４を制御する。メモリが無くなり、選択した番号にデータが保存できない場合は、その番号のランプを点滅させる。
【００３６】
設定データ送信手段としての設定データ送信制御部１５ｃは、ＴＥＡＣＨボタン１０ｆの操作に応じて、メモリバンク１５ｄに保存されている設定データ（ａ）〜（ｃ）のいずれかを他のテレビ２０ａへ送信するものである。また、設定データ送信制御部１５ｃは、そのいずれかの設定データ（ａ）〜（ｃ）を送信する際、書換要求を示す書換要求コマンドを出力するようになっている。なお、書換要求コマンドは、それぞれの設定データ（ａ）〜（ｃ）に含ませても良いし、含ませなくても良い。
【００３７】
保存手段としてのメモリバンク１５ｄには、マスターとなるテレビ２０Ａにおいて設定された画質や音質等の設定データが保存される。すなわち、メモリバンク１５ｄは、図５に示すように、たとえばメモリ領域（１）〜（３）を有しており、上述したように、設定データ保存管理制御部１５ｂによって、それぞれのメモリ領域（１）〜（３）に対し、明るい部屋の設定に関する設定データ（ａ）、暗い部屋の設定に関する設定データ（ｂ）、通常の部屋の設定に関する設定データ（ｃ）が保存される。
【００３８】
ここで、設定データ（ａ）〜（ｃ）のそれぞれの保存領域は、上述したように、メモリバンク１５ｄのそれぞれのメモリ領域（１）〜（３）のアドレスを元に、設定データ保存管理制御部１５ｂによって管理される。ＲＯＭ１６ａには、ＣＰＵ１８による動作手順等を示す制御プログラム等が保存されている。
【００３９】
ＲＡＭ１６ｂは、ＣＰＵ１８による演算処理の際の作業エリア等として用いられるものである。ボタン選択受付部１７は、ＬＥＡＲＮボタン１０ｅ、ＴＥＡＣＨボタン１０ｆ、ＲＯＯＭボタン１０ｇ、ＭＡＳＴＥＲボタン１０ｈ、ＤＩＡＧＮＯＳＴＩＣＳボタン１０ｉ、ＭＥＭＯＲＹ・ＳＥＬＥＣＴボタン１０ｊのいずれかの選択操作を受け付けるものである。
【００４０】
ＣＰＵ１８は、ＲＯＭ１６ａに保存されている制御プログラム等を読み込み、ボタン選択受付部１７によって受け付けられたＬＥＡＲＮボタン１０ｅ、ＴＥＡＣＨボタン１０ｆ、ＲＯＯＭボタン１０ｇ、ＭＡＳＴＥＲボタン１０ｈ、ＤＩＡＧＮＯＳＴＩＣＳボタン１０ｉ、ＭＥＭＯＲＹ・ＳＥＬＥＣＴボタン１０ｊのいずかの操作に応じた制御を行うものである。
【００４１】
図６は、テレビ２０Ａ，２０ａ・・・内部構成の一例を示すブロック図である。なお、テレビ２０Ａ，２０ａ・・・は、ほぼ同じ構成とされているため、以下ではテレビ２０Ａを代表させて説明するものとする。
【００４２】
同図に示すように、テレビ２０Ａは、アンテナ２１、チューナ２２、信号処理回路２３、表示部２４、信号受信部２５、制御ユニット２６、データメモリ２７、スイッチ２８、コネクタ２９を備えている。なお、図中符号２１ａはクロック信号線を示し、図中符号２１ｂはデータ信号線を示している。また、同図では、チューナ２２にアンテナ２１が接続されている場合を示しているが、アンテナ２１に代えてチューナ２２がＣａｂｌｅのシステムに接続されている構成であってもよい。
【００４３】
アンテナ２１は、放送電波を受ける。チューナ２２は、図示しないテレビ専用リモコン装置等からの選局指示に応じて同調をとる。信号処理回路２３は、チューナ２２からの映像信号を処理して表示部２４に表示させる。表示部２４は、たとえば液晶表示パネル等の薄型パネルで構成され、映像を表示する。信号受信部２５は、データコピーリモコン装置１０の信号送信部１２からの赤外線信号を受信する。
【００４４】
第１制御手段（又はテレビ２０ａ側の第２制御手段）としての制御ユニット２６は、たとえば図示しないテレビ専用リモコン装置等からの選局指示であるプログラム番号を受け取ると、そのプログラム番号に相当するデータメモリ２７からチャンネル番号を読取り、チューナ２２による同調を制御する。また、制御ユニット２６は、コネクタ２９にデータコピーリモコン装置１０のコネクタ１１との間に接続される図示しないケーブルの他端が装着されたことを検知すると、スイッチ２８をクロック信号線２１ａ及びデータ信号線２１ｂがコネクタ２９に接続されるように切り替える。
【００４５】
また、制御ユニット２６は、データコピーリモコン装置１０の設定データ要求部１５ａからの設定データを要求する上述の転送要求コマンドを受け取ると、画質や音質等の設定データ及び自己の機種ＩＤをデータメモリ２７から読み取ってデータコピーリモコン装置１０側に送信する。
【００４６】
また、制御ユニット２６は、データコピーリモコン装置１０の信号送信部１２からの上述した機種ＩＤ及び設定データを、信号受信部２５を介して受け取ると、その機種ＩＤが自己の機種ＩＤと一致している場合、その設定データに応じてデータメモリ２７内の該当する設定値のデータを書き換える。
【００４７】
データメモリ２７には、後述の図８に示すような画質、音質等の初期設定値や、後述の図９及び図１０に示すような画質、音質等の変更可能な設定値、さらには上述したプログラム番号等のデータが記憶されている。
【００４８】
スイッチ２８は、制御ユニット２６による制御によって、クロック信号線２１ａ及びデータ信号線２１ｂをコネクタ２９に対し断続する。コネクタ２９には、データコピーリモコン装置１０のコネクタ１１との間に接続される図示しないケーブルの他端が装着される。
【００４９】
次に、設定データ保存方法について説明する。まず、データコピーリモコン装置１０により、マスターとなるテレビ２０Ａにおいて設定された画質や音質等の設定データを受け取る場合、上述したように、データコピーリモコン装置１０のコネクタ１１と、テレビ２０Ａのコネクタ２９との間に図示しないケーブルを装着し、データコピーリモコン装置１０とテレビ２０Ａとを接続する。
【００５０】
このとき、テレビ２０Ａ側では、制御ユニット２６により、コネクタ２９にデータコピーリモコン装置１０のコネクタ１１との間に接続される図示しないケーブルの他端が装着されたことが検知され、スイッチ２８をクロック信号線２１ａ及びデータ信号線２１ｂがコネクタ２９に接続されるように切り替える。
【００５１】
次いで、図７に示すように、データコピーリモコン装置１０のＬＥＡＲＮボタン１０ｅを操作すると（ステップＳ１）、設定データ要求部１５ａから図示しないケーブルを介してテレビ２０Ａ側にたとえば上述の転送要求コマンドが出力される。
【００５２】
このとき、テレビ２０Ａ側では、制御ユニット２６により、データコピーリモコン装置１０の設定データ要求部１５ａからの設定データを要求する上述の転送要求コマンドが受け取られると、画質や音質等の設定データがデータメモリ２７から読み取られてデータコピーリモコン装置１０側に転送される（ステップＳ２）。
【００５３】
ここで、テレビ２０Ａ側では、特に、明るい部屋の設定、暗い部屋の設定、通常の部屋の設定のいずれかを行っておくと、いずれかの設定に関する上述した設定データ（ａ）〜（ｃ）のいずれかがデータメモリ２７から読み取られてデータコピーリモコン装置１０側に転送されることになる。
【００５４】
また、明るい部屋の設定、暗い部屋の設定、通常の部屋の設定の全てをデータコピーリモコン装置１０側に転送したい場合は、それぞれの設定をテレビ２０Ａ側で順に行ってからデータコピーリモコン装置１０側に転送されるようにすればよい。ここで、設定データ（ａ）〜（ｃ）のいずれかには、それぞれのデータ量や設定値が含まれている。
【００５５】
すなわち、工場出荷時での初期設定値には、図８に示す（ａ）から（ｇ）のようなものがある。
【００５６】
ここでは、説明の都合上、Ｎｏｒｍａｌ  ｍｏｄｅ設定時における初期設定値について説明すると、たとえば図８に示すように、ＡＶ−ＭＯＤＥでは初期設定値が（ａ）に示すようなものとされ、Ｐｉｃｔｕｒｅでは初期設定値が（ｂ）に示すようなものとされ、Ａｕｄｉｏでは初期設定値が（ｃ）に示すようなものとされ、Ｐｏｗｅｒ  Ｃｏｎｔｒｏｌでは初期設定値が（ｄ）に示すようなものとされ、Ｓｅｔｕｐでは初期設定値が（ｅ）に示すようなものとされ、Ｏｐｔｉｏｎでは初期設定値が（ｆ）に示すようなものとされ、Ｄｉｇｉｔａｌ  Ｓｅｔｕｐでは初期設定値が（ｇ）に示すようなものとされている。
【００５７】
これに対し、変更可能な設定値としては、たとえば図９に示すように、Ｐｉｃｔｕｒｅでは（ｂ）−１に示すようなものとされ、Ａｕｄｉｏでは（ｃ）−１に示すようなものとされ、Ｐｏｗｅｒ  Ｃｏｎｔｒｏｌでは（ｄ）−１に示すようなものとされている。
【００５８】
また、図１０に示すように、Ｓｅｔｕｐでは（ｅ）−１に示すようなものとされ、Ｏｐｔｉｏｎでは（ｆ）−１に示すようなものとされ、Ｄｉｇｉｔａｌ  Ｓｅｔｕｐでは（ｇ）−１に示すようなものとされている。
【００５９】
なお、図９及び図１０では、各種設定が容易に行われるように、たとえば第１階層から第４階層までの階層構造となっている場合を示しており、テレビ画面に表示されるメニュー選択によって設定値の変更が行われるようになっている。
【００６０】
よって、テレビ２０Ａ側からはデータコピーリモコン装置１０側の設定データ要求部１５ａからの要求に応じて、初期設定値が（ｂ）〜（ｇ）に示すようなものに対し、変更可能な設定値が（ｂ）−１〜（ｇ）−１に示すようなもので変更された設定データ（ａ）〜（ｃ）のいずれかがデータコピーリモコン装置１０側に出力されることになる。なお、初期設定値が（ａ）で示すＳＴＡＤＡＲＤは固定であるため、変更データとしては取り扱われないものである。
【００６１】
そして、図７に示すように、データコピーリモコン装置１０側では、テレビ２０Ａ側からの設定データ（ａ）〜（ｃ）のいずれかを受け取ると、設定データ保存管理制御部１５ｂにより、テレビ２０Ａ側からのいずれかの設定データ（ａ）〜（ｃ）のサイズが設定データに含まれるデータ量に基づきチェックされ、メモリバンク１５ｄに保存可能であるか否かの判定により（ステップＳ３）、保存可能な場合にそのいずれかの設定データ（ａ）〜（ｃ）が保存される（ステップＳ４）。
【００６２】
この場合、上述したように、設定データ保存管理制御部１５ｂにより、図５に示したメモリバンク１５ｄのメモリ領域（１）〜（３）に対し、明るい部屋の設定に関する設定データ（ａ）、暗い部屋の設定に関する設定データ（ｂ）、通常の部屋の設定に関する設定データ（ｃ）のいずれかが保存される。
【００６３】
その際、たとえば設定データ（ａ）がメモリバンク１５ｄのメモリ領域（１）に保存されるものとし、その設定データ（ａ）がメモリ領域（１）より大きい場合は、メモリ領域（２）に跨って保存される。また、設定データ（ｂ）が設定データ（ａ）に続いて保存されるものとすると、その設定データ（ｂ）がメモリ領域（２）の残りの領域より大きい場合は、メモリ領域（３）に跨って保存される。
【００６４】
また、設定データ（ｃ）が設定データ（ｂ）に続いて保存されるものとすると、その設定データ（ｂ）がメモリ領域（３）の残りの領域に収まる場合はその残りの領域に保存される。よって、設定データ（ａ）〜（ｃ）のいずれかのデータ量が多くなっても、メモリバンク１５ｄのメモリ領域（１）〜（３）のいずれかに跨って保存することが可能となる。
【００６５】
また、設定データ保存管理制御部１５ｂにより、いずれかの設定データ（ａ）〜（ｃ）の保存領域がメモリバンク１５ｄのそれぞれのメモリ領域（１）〜（３）のアドレスを元に管理されることになる。
【００６６】
次いで、テレビ２０Ａ側から受け取ったいずれかの設定データ（ａ）〜（ｃ）を他のテレビ２０ａへ送信する際、データコピーリモコン装置１０の信号送信部１２をテレビ２０ａ側に向け、ＭＥＭＯＲＹ・ＳＥＬＥＣＴボタン１０ｊを操作して、送信すべき設定データ（ａ）〜（ｃ）のいずれかを選択する（ステップＳ５）。
【００６７】
このとき、ＭＥＭＯＲＹ・ＳＥＬＥＣＴボタン１０ｊの操作に応じて、設定データ保存管理制御部１５ｂの制御によりランプ駆動回路１４がＭＥＭＯＲＹ・ＳＥＬＥＣＴランプ１０ｄを点灯させる（ステップＳ６）。
【００６８】
すなわち、設定データ（ａ）が選択されるとき、設定データ（ａ）は上述したように、メモリ領域（１）〜（２）に跨って保存されているものとすると、ＭＥＭＯＲＹ・ＳＥＬＥＣＴランプ１０ｄの１〜２が同時に点灯する。同様に、設定データ（ｂ）が選択されるとき、設定データ（ｂ）は上述したように、メモリ領域（２）〜（３）に跨って保存されているものとすると、ＭＥＭＯＲＹ・ＳＥＬＥＣＴランプ１０ｄの２〜３が同時に点灯する。同様に、設定データ（ｃ）が選択されるとき、設定データ（ｃ）は上述したように、メモリ領域（３）の残りの領域に保存されているものとすると、ＭＥＭＯＲＹ・ＳＥＬＥＣＴランプ１０ｄの３のみが点灯する。
【００６９】
次いで、ＴＥＡＣＨボタン１０ｆを操作すると（ステップＳ７）、設定データ送信制御部１５ｃにより、ＭＥＭＯＲＹ・ＳＥＬＥＣＴボタン１０ｊの操作によって選択されたいずれかの設定データ（ａ）〜（ｃ）がメモリバンク１５ｄから読み出されて送信される（ステップＳ８）。なお、そのいずれかの設定データ（ａ）〜（ｃ）が送信される際には、上述したように、書換要求を示す書換要求コマンドも送信される。
【００７０】
これにより、いずれかの設定データ（ａ）〜（ｃ）を受け取ったテレビ２０ａ側では、上述した制御ユニット２６により、書換要求コマンドに基づき、データメモリ２７内の設定値が受け取った設定データに応じて変更される（ステップＳ９）。
【００７１】
このようにして、データコピーリモコン装置１０からのいずれかの設定データ（ａ）〜（ｃ）が順に他のテレビ２０ａに送信され、いずれかの設定データ（ａ）〜（ｃ）に基づき他のテレビ２０ａ側の設定値が変更されることになる。
【００７２】
このように、本実施例では、マスターとなるテレビ２０Ａの設定に関わる設定データの転送要求を行う操作に応じてマスターとなるテレビ２０Ａの設定データの転送を要求し、その要求に応じてテレビ２０Ａの第１制御手段である制御ユニット２６から転送される視聴環境に応じて設定された異なる設定データ（ａ）〜（ｃ）のいずれかを複数のメモリ領域（１）〜（３）を有するメモリバンク１５ｄのそれぞれのメモリ領域（１）〜（３）に保存し、いずれかの設定データ（ａ）〜（ｃ）を他のテレビ２０ａへ送信する操作に応じていずれかのメモリ領域（１）〜（３）に保存された設定データ（ａ）〜（ｃ）のいずれかかを他のテレビ２０ａへ送信することにより、第２制御手段である制御ユニット２６により送信されたいずれかの設定データ（ａ）〜（ｃ）に基づいて設定変更制御が行われるようにした。
【００７３】
これにより、視聴環境が異なる場所に設置されている他のテレビ２０ａに対するそれぞれの視聴環境に合わせた設定変更を、単一のデータコピーリモコン装置１０によって同時に行うことができる。
【００７４】
また、本実施例では、設定データ保存管理制御部１５ｂにより、たとえば設定データ（ａ）がメモリバンク１５ｄのメモリ領域（１）に保存されるものとし、その設定データ（ａ）がメモリ領域（１）より大きい場合は、メモリ領域（２）に跨って保存されるようにしたので、機能の増加に伴い設定データの増加が予測される新たなテレビからの設定データであっても、メモリ領域（１）〜（３）のいずれかに跨って保存することで対応可能となる。
【産業上の利用可能性】
【００７５】
テレビに限らず、ＨＤＤプレーヤ等の記録再生装置における設定においても適用可能である。
【図面の簡単な説明】
【００７６】
【図１】本発明の設定データ変更システムの一実施例の概要を説明するための図である。
【図２】図１のデータコピーリモコン装置の一例を示す正面図である。
【図３】図１のデータコピーリモコン装置の一例を示す斜視図である。
【図４】図１データコピーリモコン装置の内部構成の一例を示すブロック図である。
【図５】図４のメモリバンクを説明するための図である。
【図６】図１のテレビの内部構成の一例を示すブロック図である。
【図７】図１のデータコピーリモコン装置における設定データ保存方法について説明するためのフローチャートである。
【図８】図１のテレビにおける、工場出荷時に予め設定されている初期設定値を説明するための図である。
【図９】図１のテレビにおける、変更可能な設定値を説明するための図である。
【図１０】図１のテレビにおける、変更可能な設定値を説明するための図である。
【符号の説明】
【００７７】
１０  データコピーリモコン装置
１０ａ  ＬＥＡＲＮランプ（転送要求告知手段）
１０ｂ  ＤＯＮＥランプ
１０ｃ  ＴＥＡＣＨランプ（送信告知手段）
１０ｄ  ＭＥＭＯＲＹ・ＳＥＬＥＣＴランプ（表示素子）
１０ｅ  ＬＥＡＲＮボタン（転送要求操作手段）
１０ｆ  ＴＥＡＣＨボタン（送信操作手段）
１０ｇ  ＲＯＯＭボタン
１０ｈ  ＭＡＳＴＥＲボタン
１０ｉ  ＤＩＡＧＮＯＳＴＩＣＳボタン
１０ｊ  ＭＥＭＯＲＹ・ＳＥＬＥＣＴボタン（選択手段）
１１  コネクタ
１２  信号送信部
１４  ランプ駆動回路
１５ａ  設定データ要求部（設定データ要求手段）
１５ｂ  設定データ保存管理制御部（保存管理制御手段）
１５ｃ  設定データ送信制御部（設定データ送信手段）
１５ｄ  メモリバンク（保存手段）
１７  ボタン選択受付部
１９  バス
２０Ａ，２０ａ  テレビ
２１  アンテナ
２１ａ  クロック信号線
２１ｂ  データ信号線
２２  チューナ
２３  信号処理回路
２４  表示部
２５  信号受信部
２６  制御ユニット｛第１制御手段（又は第２制御手段）｝
２７  データメモリ
２８  スイッチ
２９  コネクタ
【図１】
2007174305.tif 000003
【図２】
2007174305.tif 000004
【図３】
2007174305.tif 000005
【図４】
2007174305.tif 000006
【図５】
2007174305.tif 000007
【図６】
2007174305.tif 000008
【図７】
2007174305.tif 000009
【図８】
2007174305.tif 000010
【図９】
2007174305.tif 000011
【図１０】
2007174305.tif 000012